(57)【要約】  本発明は、光多重サンプリング信号を受信し、波長識別子が担持された光信号を、波長ロックが行われる光信号として決定するように構成される波長識別子検出器と、波長ロックが行われる少なくとも１チャネルの光信号の波長情報に基づき、波長ロックが行われる少なくとも１チャネルの光信号を選択して出力するように構成される調整可能帯域通過フィルタと、波長ロックが行われる各チャネルの光信号の波長偏差情報を取得するように構成される波長ロッカーと、自体に対応する波長偏差情報に基づき、自体に対応する波長ロックが行われる光信号のＣＡＳを生成し、得られたＣＡＳを、前記自体に対応する波長ロックが行われる光信号に対応するローカルトラフィック信号に変調するように構成されるＣＡＳ発生器とを備える波長ロック装置を開示する。本発明は、波長ロック方法を更に開示する。【選択図】図２
2021510256.tif 000002
【特許請求の範囲】
【請求項１】
波長識別子検出器と、調整可能帯域通過フィルタと、波長ロッカーと、光多重信号のうちの少なくとも１種の波長の光信号とそれぞれ１対１で対応する少なくとも１チャネルのＣＡＳ発生器とを備える波長ロック装置であって、
前記波長識別子検出器は、光多重サンプリング信号を受信し、前記光多重サンプリング信号のうちの波長識別子が担持された光信号を波長ロックが行われる光信号として決定するように構成され、前記波長識別子は、波長ロックが行われる少なくとも１チャネルの光信号を識別することに用いられ、
前記調整可能帯域通過フィルタは、前記波長ロックが行われる少なくとも１チャネルの光信号の波長情報に基づき、前記光多重サンプリング信号から前記波長ロックが行われる少なくとも１チャネルの光信号を選択して出力するように構成され、
前記波長ロッカーは、前記波長ロックが行われる各チャネルの光信号の波長偏差情報を取得するように構成され、
各チャネルの前記ＣＡＳ発生器は、受信した自体に対応する波長偏差情報に基づき、自体に対応する波長ロックが行われる光信号のＣＡＳを生成し、得られたＣＡＳを、前記自体に対応する波長ロックが行われる光信号に対応するローカルトラフィック信号に変調するように構成される、波長ロック装置。
【請求項２】
遠端の光多重信号に対してパワーサンプリングを行い、前記光多重サンプリング信号を取得するように構成されるパワーサンプラを更に備える、請求項１に記載の波長ロック装置。
【請求項３】
前記波長識別子検出器は、
前記光多重サンプリング信号を受信し、前記光多重サンプリング信号の各波長の光信号のうちの波長識別子が担持された光信号を、前記波長ロックが行われる光信号として決定し、
前記波長ロックが行われる光信号の波長情報を記録し、前記波長ロックが行われる波長情報を前記調整可能帯域通過フィルタに出力するように構成される、請求項１または２に記載の波長ロック装置。
【請求項４】
前記波長ロッカーは、
前記波長ロックが行われる少なくとも１チャネルの光信号に対し、波長ロックが行われる各チャネルの光信号に対応する光波長と予め設けられた標準波長とを比較し、波長ロックが行われる各チャネルの光信号の、波長偏差の方向および波長偏差の大きさを含む波長偏差値を計算し、
波長ロックが行われる各チャネルの光信号の波長偏差値を出力するように構成される、請求項１または２に記載の波長ロック装置。
【請求項５】
各チャネルの前記ＣＡＳ発生器は、
前記ＣＡＳ発生器の自体に対応する波長偏差値を識別し、前記波長偏差値をＣＡＳフレームに充填し、
前記ＣＡＳフレームを符号化してＣＡＳを生成し、
生成したＣＡＳを、前記ＣＡＳ発生器の自体に対応する前記波長ロックが行われる光信号に対応するローカルの送信トラフィック信号に変調するように構成される、請求項１または２に記載の波長ロック装置。
【請求項６】
前記ＣＡＳ発生器は、
パイロットトーン信号発生器と、
光伝送ネットワークＯＴＮオーバーヘッド信号発生器と、
イーサネット信号発生器とのうちの１つを含む、請求項５に記載の波長ロック装置。
【請求項７】
遠端の光多重信号を取得し、光多重信号のうちの波長ロックが行われる光信号に波長識別子が担持されていることと、
前記波長識別子に基づいて前記波長ロックが行われる少なくとも１チャネルの光信号を決定することと、
前記波長ロックが行われる各チャネルの光信号の波長偏差情報を取得することと、
取得された波長偏差情報に基づき、前記波長偏差情報と１対１で対応する波長ロックが行われる光信号のＣＡＳを生成し、得られたＣＡＳを、前記ＣＡＳに対応する波長ロックが行われる光信号に対応するローカルトラフィック信号に変調することとを含む、波長ロック方法。
【請求項８】
前記波長識別子に基づいて前記波長ロックが行われる少なくとも１チャネルの光信号を決定することは、
光多重サンプリング信号のうちの波長識別子が担持された光信号を前記波長ロックが行われる光信号として決定し、前記波長ロックが行われる光信号の波長情報を記録することを含み、前記波長識別子は、波長ロックが行われる少なくとも１チャネルの光信号を識別することに用いられる、請求項７に記載の方法。
【請求項９】
前記波長識別子は波長タグである、請求項８に記載の方法。
【請求項１０】
前記前記波長ロックが行われる各チャネルの光信号の波長偏差情報を取得することは、
前記波長ロックが行われる各チャネルの光信号に対応する光波長と予め設けられた標準波長とをそれぞれ比較し、前記波長ロックが行われる各チャネルの光信号の、波長偏差の方向および波長偏差の大きさを含む波長偏差値を計算することを含む、請求項７に記載の方法。
【請求項１１】
前記取得された波長偏差情報に基づき、前記波長偏差情報と１対１で対応する波長ロックが行われる光信号のＣＡＳを生成することは、
前記波長偏差値をＣＡＳフレームに充填することと、
前記ＣＡＳフレームを符号化して前記ＣＡＳを生成することとを含む、請求項１０に記載の方法。
【請求項１２】
前記ＣＡＳ発生器は、
パイロットトーン信号発生器と、
光伝送ネットワークＯＴＮオーバーヘッド信号発生器と、
イーサネット信号発生器とのうちの１つを含む、請求項１１に記載の波長ロック装置。
【発明の詳細な説明】
【技術分野】
【０００１】
本願は、２０１８年０１月１０日に中国専利局に提出された出願番号が２０１８１００２１０５５．９である中国特許出願に対して優先権を主張するものであり、該出願の全ての内容を引用により本願に援用する。
【０００２】
本願は、光通信技術に関するが、これらに限定されず、例えば、高密度波長分割多重システムに基づく波長ロック装置および方法に関する。
【背景技術】
【０００３】
高密度波長分割多重（Ｄｅｎｓｅ  Ｗａｖｅｌｅｎｇｔｈ  Ｄｉｖｉｓｉｏｎ  Ｍｕｌｔｉｐｌｅｘｉｎｇ、ＤＷＤＭ）技術は、１本の光ファイバーで一定の間隔の複数の所定波長を伝送する技術であり、大容量の伝送を実現することができ、長距離バックボーンネットワーク、メトロポリタン集約ネットワークおよびメトロポリタンアクセスネットワーク等に広く適用されている。
【０００４】
移動通信技術の発展に伴い、第４世代移動通信技術（Ｔｈｅ  ｆｏｕｒｔｈ  ｇｅｎｅｒａｔｉｏｎ  ｏｆ  ｍｏｂｉｌｅ  ｐｈｏｎｅ  ｍｏｂｉｌｅ  ｃｏｍｍｕｎｉｃａｔｉｏｎ  ｔｅｃｈｎｏｌｏｇｙ  ｓｔａｎｄａｒｄｓ、４Ｇ）および第５世代移動通信技術（Ｔｈｅ  ｆｉｆｔｈ  ｇｅｎｅｒａｔｉｏｎ  ｏｆ  ｍｏｂｉｌｅ  ｐｈｏｎｅ  ｍｏｂｉｌｅ  ｃｏｍｍｕｎｉｃａｔｉｏｎ  ｔｅｃｈｎｏｌｏｇｙ  ｓｔａｎｄａｒｄｓ、５Ｇ）のネットワークにおいて、より高い帯域幅を提供するために、無線インタフェース速度が向上しつつあり、光ファイバーリソースが日々不足となり、ＤＷＤＭ技術も無線アクセスネットワークに適用され、規模的に使用されている。
【０００５】
ＤＷＤＭシステムに対し、システムが伝送する複数の波長のうちの各所定の波長周波数が一定の安定性を維持して該伝送システムの安定した動作を維持できることが要求されているため、波長ロックは該システムの重要な技術である。
【０００６】
関連技術において、波長の安定度を維持するために、高密度波長分割多重システムは、通常、それぞれの送信機に、それぞれの送信機の出力波長に対して独自の波長ロックを行うことにより波長の安定性を実現するように構成される専用の波長ロッカーが内蔵されている。しかし、このような方法は、それぞれの送信機に波長ロッカーおよび制御回路を配置する必要があり、このように、システムコストが増加してしまう。無線アクセスネットワークの場合、特に、無線アクセスネットワークのフォワードネットワークの場合、このような技術のコストが高く、規模的に使用できなくなる。
【発明の概要】
【発明が解決しようとする課題】
【０００７】
本開示は、送信機に対する波長のモニタリングおよびロックを柔軟に実現でき、且つコストを低減できる波長ロック装置および方法を提供する。
【課題を解決するための手段】
【０００８】
一実施例において、本開示は、波長識別子検出器と、調整可能帯域通過フィルタと、波長ロッカーと、光多重信号のうちの少なくとも１種の波長の光信号とそれぞれ１対１で対応する少なくとも１チャネルのＣＡＳ（Ｃｈａｎｎｅｌ  Ａｓｓｏｃｉａｔｅｄ  Ｓｉｇｎａｌｉｎｇ）発生器とを備える波長ロック装置であって、
前記波長識別子検出器は、光多重サンプリング信号を受信し、前記光多重サンプリング信号のうちの波長識別子が担持された光信号を波長ロックが行われる光信号として決定するように構成され、前記波長識別子は、波長ロックが行われる少なくとも１チャネルの光信号を識別することに用いられ、
前記調整可能帯域通過フィルタは、前記波長ロックが行われる少なくとも１チャネルの光信号の波長情報に基づき、前記光多重サンプリング信号から前記波長ロックが行われる少なくとも１チャネルの光信号を選択して出力するように構成され、
前記波長ロッカーは、前記波長ロックが行われる各チャネルの光信号の波長偏差情報を取得するように構成され、
各チャネルの前記ＣＡＳ発生器は、受信した自体に対応する波長偏差情報に基づき、自体に対応する波長ロックが行われる光信号のＣＡＳを生成し、得られたＣＡＳを、前記自体に対応する波長ロックが行われる光信号に対応するローカルトラフィック信号に変調するように構成される、波長ロック装置を提供する。
【０００９】
本願は、
遠端の光多重信号を取得し、光多重信号のうちの波長ロックが行われる光信号に波長識別子が担持されていることと、
前記波長識別子に基づいて前記波長ロックが行われる少なくとも１チャネルの光信号を決定することと、
前記波長ロックが行われる各チャネルの光信号の波長偏差情報を取得することと、
取得された波長偏差情報に基づき、前記波長偏差情報と１対１で対応する波長ロックが行われる光信号のＣＡＳを生成し、得られたＣＡＳを、前記ＣＡＳに対応する波長ロックが行われる光信号に対応するローカルトラフィック信号に変調することとを含む、波長ロック方法を更に提供する。
【図面の簡単な説明】
【００１０】
図面は、本願の技術形態に対する理解を提供するためのものであり、明細書の一部を構成し、本願の実施例と共に本願の技術形態を解釈することに用いられ、本願の技術形態を限定するものではない。
【００１１】
【図１】関連技術における波長ロックを実現するアーキテクチャーの構成模式図である。
【図２】本願に係る波長ロック装置の構成の構造模式図である。
【図３】本願に係る波長ロック方法のフローチャートである。
【発明を実施するための形態】
【００１２】
矛盾しない限り、本願における実施例と実施例中の特徴は、互いに任意に組み合わせることができる。
【００１３】
図１は、関連技術における波長ロックを実現するアーキテクチャーの構成模式図であり、該アーキテクチャーにおいて、集中モニタリングの方式を採用し、すなわち、複数の波長に１つの外付けの波長ロッカーが採用される。図１に示すように、複数の光送信機（例えば、図１における光送信機１、光送信機２……光送信機ｎ）が異なる波長の光信号を送信した後、合波器により異なる波長の光信号を光多重信号に合波して出力する。出力チャネルで一定の割合に従って光多重信号に対してパワーサンプリングを行い、光多重サンプリング信号を取得する。光多重サンプリング信号は、帯域通過フィルタにより、光多重サンプリング信号のうちの異なる波長の光信号を選択して出力する（光多重サンプリング信号が複数の波長を含むため、帯域通過フィルタにより異なる波長を選択してそれぞれ出力する）。出力した光信号に１つの集中した波長ロッカーを通過させ、各波長の光信号に対応する波長偏差をそれぞれ取得する。最後に、信号制御器により対応する波長偏差補償制御量を計算した後、計算した各偏差補償制御量を対応する光送信機に出力して波長調整を行う。
【００１４】
図１に示す波長ロック方法は、波長のモニタリングおよびロックを行う過程において、集中波長ロッカーを用い、ローカルの（すなわち、図１における光送信機１、光送信機２……光送信機ｎ）の信号制御器により、ローカルの送信機に波長調節情報、すなわち偏差補償制御量を配布し、ローカルの送信機に対する波長調整を完了する。
【００１５】
一方、図１に示す波長ロック方式は、全ての波長の光信号に対してモニタリングおよびロック処理を行うことであり、つまり、光信号を伝送しないチャネルに対しても処理を行い、このように、サンプリングおよび調整の速度を低減する。他方、無線アクセスネットワークの場合、特に、フォワードネットワークの場合、通常、遠端の送信機に対して波長のモニタリングおよびロックを行う必要があり、遠端の送信機が基地局の塔頂、建物の屋上、電柱等の位置に位置するため、図１に示すローカルの波長ロック装置を取り付けるのに適せず、更に、遠端の送信機に信号制御器がないため、図１に示す波長ロック方法は、遠端の送信機に対する波長ロックを実現することができない。
【００１６】
図２は、本願に係る波長ロック装置の構成の構造模式図であり、図２に示すように、波長ロック装置は、少なくとも、波長識別子検出器と、調整可能帯域通過フィルタと、波長ロッカーと、少なくとも１チャネルのＣＡＳ発生器とを備え、少なくとも１チャネルのＣＡＳ発生器は、それぞれ光多重信号のうちの少なくとも１種の波長の光信号と１対１で対応する。
【００１７】
波長識別子検出器は、光多重サンプリング信号を受信し、前記光多重サンプリング信号のうちの波長識別子が担持された光信号を波長ロックが行われる光信号として決定するように構成され、波長識別子は、波長ロックが行われる少なくとも１チャネルの光信号を識別することに用いられる。
【００１８】
一実施例において、波長ロックが行われる各チャネルの光信号の識別子の内容は異なってもよい。
【００１９】
一実施例において、波長識別子は波長タグであってもよい。それに対応し、波長識別子検出器は波長タグ検出器である。
【００２０】
調整可能帯域通過フィルタ（例えば、複数の波長のフィルタリングを実現できる広帯域フィルタ）は、前記波長ロックが行われる少なくとも１チャネルの光信号の波長情報に基づき、前記光多重サンプリング信号から前記波長ロックが行われる少なくとも１チャネルの光信号を選択して出力するように構成される。
【００２１】
波長ロッカーは、前記波長ロックが行われる各チャネルの光信号の波長偏差情報を取得するように構成される。
【００２２】
各前記ＣＡＳ発生器は、受信した自体に対応する波長偏差情報に基づき、自体に対応する波長ロックが行われる光信号のＣＡＳを生成し、得られたＣＡＳを、前記自体に対応する波長ロックが行われる光信号に対応するローカルトラフィック信号に変調するように構成される。
【００２３】
一実施例において、ＣＡＳ発生器は、更に、得られたＣＡＳを、波長ロックが行われる光信号に対応するローカルトラフィック信号に変調するように構成される。あるいは、ローカルの送信機は、更に、ＣＡＳ発生器からのＣＡＳを波長ロックが行われる光信号のローカルトラフィック信号に変調するように構成される。
【００２４】
一実施例において、該装置は、遠端の光多重信号に対してパワーサンプリングを行い、光多重サンプリング信号を取得することに用いられるパワーサンプラ（図２には示されず）を更に備える。
【００２５】
本願の波長ロック装置において、波長識別子と対応するＣＡＳとを組み合わせる方式を採用し、波長ロックが行われる光信号を選択して処理し、処理速度を向上させ、送信機に対する波長のモニタリングおよびロックを柔軟に実現し、コストを低減し、更に、波長識別子により遠端のロックされる波長を正確に識別子し、且つＣＡＳ（波長変調情報を含む）により、ローカルの送信機を介して遠端の受信機まで伝達し、自体の波長を調整するように遠端の送信機を駆動し、遠端の送信機の波長に対する正確なロックを実現する。波長識別子とＣＡＳとの１対１の組み合わせにより、遠端制御のない場合に、遠端の送信機の波長をロックする効果を達成し、システムの波長安定度を向上させる。
【００２６】
一実施例において、波長識別子検出器は、
パワーサンプラからの光多重サンプリング信号を受信し、光多重サンプリング信号のうちの各波長の光信号が波長識別子が担持されたか否かに基づき、該波長に対して波長ロックを行うか否かを判断し、前記光多重サンプリング信号の各波長の光信号のうちの波長識別子が担持された光信号を前記波長ロックが行われる光信号として決定し、前記波長ロックが行われる光信号の波長情報を記録し、前記波長ロックが行われる波長情報を調整可能帯域通過フィルタに出力するように構成される。
【００２７】
一実施例において、調整可能帯域通過フィルタは、
波長識別子検出器が出力したロックされる波長情報に基づき、光多重サンプリング信号からロックされる光信号を選択して出力するように構成される。
【００２８】
一実施例において、波長ロッカーは、
波長ロックが行われる少なくとも１チャネルの光信号に対し、波長ロックが行われる各チャネルの光信号に対応する光波長と予め設けられた標準波長とを比較し、波長ロックが行われる各チャネルの光信号の、波長偏差の方向および波長偏差の大きさを含む波長偏差値を計算し、
波長ロックが行われる各チャネルの光信号の波長偏差値を出力するように構成される。
【００２９】
一実施例において、ＣＡＳ発生器は、
ＣＡＳ発生器の自体に対応する波長偏差値を識別し、波長偏差値をＣＡＳフレームに充填し、ＣＡＳフレームを符号化してＣＡＳを生成し、生成したＣＡＳを、ＣＡＳ発生器の自体に対応する波長ロックが行われる光信号に対応するローカルの送信トラフィック信号に変調するように構成される。
【００３０】
一実施例において、ＣＡＳ発生器は、パイロットトーン信号発生器であってもよく、それに対応し、ＣＡＳフレームはパイロットトーン信号フレームであり、ＣＡＳはパイロットトーン信号である。
【００３１】
一実施例において、ＣＡＳ発生器は、光伝送ネットワーク（Ｏｐｔｉｃａｌ  Ｔｒａｎｓｐｏｒｔ  Ｎｅｔｗｏｒｋ、ＯＴＮ）オーバーヘッド信号発生器であってもよく、それに対応し、ＣＡＳフレームはＯＴＮオーバーヘッド信号フレームであり、ＣＡＳはＯＴＮオーバーヘッド信号である。
【００３２】
一実施例において、ＣＡＳ発生器は、イーサネット信号発生器であってもよく、それに対応し、ＣＡＳフレームはイーサネットＣＡＳフレームであり、ＣＡＳはイーサネットＣＡＳである。
【００３３】
本願の波長ロック装置における各構成部分は、それぞれ独立した物理的エンティティであってもよく、同一の物理的エンティティに設けられてもよい。
【００３４】
以下、場合に応じて本願の波長ロック装置の適用について説明する。
【００３５】
図２を参照し続け、遠端の光送信機が遠端の異なる波長の光信号を送信すると仮定し、本実施例において、光信号１〜光信号ｎ（ｎは正の整数である）（例えば、光信号１、光信号３、光信号４、光信号ｎ）にそれぞれ波長識別子が担持されていると仮定し、遠端の合波器は遠端の異なる波長の光信号（すなわち、光信号１〜光信号ｎ）を光多重信号に多重化して送信する。
【００３６】
パワーサンプラは、遠端の合波器が出力する多重化された光多重信号に対してパワーサンプリングを行い、光多重サンプリング信号を取得する。
【００３７】
波長識別子検出器は、パワーサンプラからの光多重サンプリング信号を受信し、多重化された各光信号に波長識別子が担持されているか否かに基づき、該光信号に対して波長ロック処理を行うか否かを判断する。本実施例において、光信号１、光信号３、光信号４、および光信号ｎが波長ロックが行われる光信号であると判断するため、ロックされる光信号の波長情報を記録し、本実施例において、すなわち、波長１、波長３、波長４および波長ｎを記録し、その後、光多重サンプリング信号および記録した波長ロックが行われる波長情報を調整可能帯域通過フィルタに出力する。
【００３８】
調整可能帯域通過フィルタは、波長識別子検出器が出力する波長ロックが行われる波長情報に基づき、波長ロックが行われる光信号である光信号１、光信号３、光信号４および光信号ｎを１つずつ選択して出力する。
【００３９】
一実施例において、本開示の技術形態は、調整可能帯域通過フィルタに限定されず、波長ロックが行われる光信号の選択を実現できる他の調整可能フィルタであってもよい。
【００４０】
広帯域波長ロッカー（すなわち、波長ロッカー）は、調整可能帯域通過フィルタが出力する波長ロックが行われる光信号を受信し、該光信号に対応する光パワーを出力して予め設けられた標準波長に対応する光パワーと比較し、該波長の波長偏差値を計算し、ここで、波長偏差値は、波長偏差の方向および波長偏差の大きさを含み、該光信号の波長偏差値をＣＡＳ発生器に出力する。
【００４１】
ＣＡＳ発生器は、ｎ個の波長に対応してｎ個のＣＡＳ発生器を含み、各ＣＡＳ発生器の処理過程は同じであり、本実施例において、第１チャネルのＣＡＳ発生器を例として説明する。自体に対応する波長に対応する第１チャネルの光信号の波長偏差値を識別し、該波長偏差値をＣＡＳフレームに充填し、その後、ＣＡＳフレームを符号化してＣＡＳ１を生成し、更に、ＣＡＳ１を、ローカルから送信された波長１に対応するトラフィック信号に変調して伝送し、本実施例において、チャネル関連発生器１、チャネル関連発生器３、チャネル関連発生器４、およびチャネル関連発生器ｎは、本段落中の上記処理を行い、つまり、本実施例において、ＣＡＳ１を、ローカルから送信された波長１に対応するトラフィック信号に変調して伝送し、ＣＡＳ３を、ローカルから送信された波長３に対応するトラフィック信号に変調して伝送し、ＣＡＳ４を、ローカルから送信された波長４に対応するトラフィック信号に変調して伝送し、ＣＡＳｎを、ローカルから送信された波長ｎに対応するトラフィック信号に変調して伝送する。
【００４２】
ローカルの光送信機は、波長ロックが行われる光信号に対応するＣＡＳが担持された異なる波長のローカルの光信号を生成し、ローカルの合波器は、ローカルの異なる波長の光信号を多重化して送信する。
【００４３】
遠端の分波器は、受信したローカルからの光多重信号を、遠端の光受信機が受信できるように異なる波長の光信号に多重分離する。
【００４４】
遠端の光受信機１は、ローカルからのＣＡＳ１が担持された第１チャネルの光トラフィック信号を受信し、遠端の光受信機３は、ローカルからのＣＡＳ３が担持された第３チャネルの光トラフィック信号を受信し、遠端の光受信機４は、ローカルからのＣＡＳ４が担持された第４チャネルの光トラフィック信号を受信し、遠端の光受信機ｎは、ローカルからのＣＡＳｎが担持された第ｎチャネルの光トラフィック信号を受信する。遠端の光受信機１を例とし、遠端の光受信機１は、受信した光トラフィック信号から波長偏差値を含むＣＡＳを復調し、復調したＣＡＳをフレーム固定処理し、対応するバイトから波長偏差の方向および波長偏差の大きさ等を含む波長偏差値を抽出し、抽出した波長偏差値を遠端光送信機１に送信し、このように、遠端の送信機１は、遠端の光受信機からの波長偏差値に基づいて自体が送信すべき光信号１の波長を調整し、遠端の波長ロックを実現する。
【００４５】
図３は、本願に係る波長ロック方法のフローチャートであり、図３に示すように、ステップ３００〜ステップ３３０を含む。
【００４６】
ステップ３００において、遠端の光多重信号を取得する。ここで、光多重信号のうちの波長ロックが行われる光信号に波長識別子が担持されている。
【００４７】
一実施例において、ステップ３００は、
遠端の光多重信号に対してパワーサンプリングを行い、光多重サンプリング信号を取得することを含んでもよい。
【００４８】
ステップ３１０において、波長識別子に基づいて波長ロックが行われる少なくとも１チャネルの光信号を決定する。
【００４９】
一実施例において、ステップ３１０は、
光多重サンプリング信号のうち、波長識別子が担持された光信号を波長ロックが行われる光信号として決定し、波長ロックが行われる光信号の波長情報を記録することを含む。ここで、波長識別子は、波長ロックが行われる少なくとも１チャネルの光信号を識別することに用いられる。
【００５０】
一実施例において、波長識別子は波長タグであってもよい。
【００５１】
ステップ３２０において、波長ロックが行われる各チャネルの光信号の波長偏差情報を取得する。
【００５２】
一実施例において、ステップ３２０は、
波長ロックが行われる各チャネルの光信号に対応する光波長と、予め設けられた標準波長とをそれぞれ比較し、波長ロックが行われる各チャネルの光信号の、波長偏差の方向および波長偏差の大きさを含む波長偏差値を計算することを含んでもよい。一実施例において、当業者の慣用技術手段で計算することができる。
【００５３】
ステップ３３０において、取得された波長偏差情報に基づき、前記波長偏差情報と１対１で対応する波長ロックが行われる光信号のＣＡＳを生成し、得られたＣＡＳを、前記ＣＡＳに対応する波長ロックが行われる光信号に対応するローカルトラフィック信号に変調する。
【００５４】
一実施例において、取得された波長偏差情報に基づき、前記波長偏差情報と１対１で対応する波長ロックが行われる光信号のＣＡＳを生成することは、
波長偏差値をＣＡＳフレームに充填することと、ＣＡＳフレームを符号化してＣＡＳを生成することとを含む。
【００５５】
一実施例において、前記ＣＡＳ発生器は、パイロットトーン信号発生器と、光伝送ネットワークＯＴＮオーバーヘッド信号発生器と、イーサネット信号発生器とのうちの１つを含む。
【００５６】
本願に係る波長ロック方法により、波長ロックが行われる光信号に対応するローカルの光送信機は、ＣＡＳが担持されたローカルの光信号を生成する一方、対応する遠端の光受信機は、ローカルからのＣＡＳが担持された光トラフィック信号を受信し、トラフィック信号に担持されている波長偏差情報を含むＣＡＳに基づいて遠端が送信する信号を調整するという目的を実現する。
【図１】
2021510256.tif 000003
【図２】
2021510256.tif 000004
【図３】
2021510256.tif 000005
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
波長識別子検出器と、調整可能帯域通過フィルタと、波長ロッカーと、光多重信号のうちの少なくとも１種の波長の光信号とそれぞれ１対１で対応する少なくとも１チャネルのＣＡＳ発生器とを備える波長ロック装置であって、
前記波長識別子検出器は、光多重サンプリング信号を受信し、前記光多重サンプリング信号のうちの波長識別子が担持された光信号を波長ロックが行われる光信号として決定するように構成され、前記波長識別子は、波長ロックが行われる少なくとも１チャネルの光信号を識別することに用いられ、
前記調整可能帯域通過フィルタは、前記波長ロックが行われる少なくとも１チャネルの光信号の波長情報に基づき、前記光多重サンプリング信号から前記波長ロックが行われる少なくとも１チャネルの光信号を選択して出力するように構成され、
前記波長ロッカーは、前記波長ロックが行われる各チャネルの光信号の波長偏差情報を取得するように構成され、
各チャネルの前記ＣＡＳ発生器は、受信した自体に対応する波長偏差情報に基づき、自体に対応する波長ロックが行われる光信号のＣＡＳを生成し、得られたＣＡＳを、前記自体に対応する波長ロックが行われる光信号に対応するローカルトラフィック信号に変調するように構成される、波長ロック装置。
【請求項２】
遠端の光多重信号に対してパワーサンプリングを行い、前記光多重サンプリング信号を取得するように構成されるパワーサンプラを更に備える、請求項１に記載の波長ロック装置。
【請求項３】
前記波長識別子検出器は、
前記光多重サンプリング信号を受信し、前記光多重サンプリング信号の各波長の光信号のうちの波長識別子が担持された光信号を、前記波長ロックが行われる光信号として決定し、
前記波長ロックが行われる光信号の波長情報を記録し、前記波長ロックが行われる光信号の波長情報を前記調整可能帯域通過フィルタに出力するように構成される、請求項１または２に記載の波長ロック装置。
【請求項４】
前記波長ロッカーは、
前記波長ロックが行われる少なくとも１チャネルの光信号に対し、波長ロックが行われる各チャネルの光信号に対応する光波長と予め設けられた標準波長とを比較し、波長ロックが行われる各チャネルの光信号の、波長偏差の方向および波長偏差の大きさを含む波長偏差値を計算し、
波長ロックが行われる各チャネルの光信号の波長偏差値を出力するように構成される、請求項１または２に記載の波長ロック装置。
【請求項５】
各チャネルの前記ＣＡＳ発生器は、
前記ＣＡＳ発生器の自体に対応する波長偏差値を識別し、前記波長偏差値をＣＡＳフレームに充填し、
前記ＣＡＳフレームを符号化してＣＡＳを生成し、
生成したＣＡＳを、前記ＣＡＳ発生器の自体に対応する前記波長ロックが行われる光信号に対応するローカルの送信トラフィック信号に変調するように構成される、請求項１または２に記載の波長ロック装置。
【請求項６】
前記ＣＡＳ発生器は、
パイロットトーン信号発生器と、
光伝送ネットワークＯＴＮオーバーヘッド信号発生器と、
イーサネット信号発生器とのうちの１つを含む、請求項５に記載の波長ロック装置。
【請求項７】
遠端の光多重信号を取得し、光多重信号のうちの波長ロックが行われる光信号に波長識別子が担持されていることと、
前記波長識別子に基づいて前記波長ロックが行われる少なくとも１チャネルの光信号を決定することと、
前記波長ロックが行われる各チャネルの光信号の波長偏差情報を取得することと、
取得された波長偏差情報に基づき、前記波長偏差情報と１対１で対応する波長ロックが行われる光信号のＣＡＳを生成し、得られたＣＡＳを、前記ＣＡＳに対応する波長ロックが行われる光信号に対応するローカルトラフィック信号に変調することとを含む、波長ロック方法。
【請求項８】
前記波長識別子に基づいて前記波長ロックが行われる少なくとも１チャネルの光信号を決定することは、
光多重サンプリング信号のうちの波長識別子が担持された光信号を前記波長ロックが行われる光信号として決定し、前記波長ロックが行われる光信号の波長情報を記録することを含み、前記波長識別子は、波長ロックが行われる少なくとも１チャネルの光信号を識別することに用いられる、請求項７に記載の方法。
【請求項９】
前記波長識別子は波長タグである、請求項８に記載の方法。
【請求項１０】
前記波長ロックが行われる各チャネルの光信号の波長偏差情報を取得することは、
前記波長ロックが行われる各チャネルの光信号に対応する光波長と予め設けられた標準波長とをそれぞれ比較し、前記波長ロックが行われる各チャネルの光信号の、波長偏差の方向および波長偏差の大きさを含む波長偏差値を計算することを含む、請求項７に記載の方法。
【請求項１１】
前記取得された波長偏差情報に基づき、前記波長偏差情報と１対１で対応する波長ロックが行われる光信号のＣＡＳを生成することは、
前記波長偏差値をＣＡＳフレームに充填することと、
前記ＣＡＳフレームを符号化して前記ＣＡＳを生成することとを含む、請求項１０に記載の方法。
【国際調査報告】
2021510256.tif 000006
2021510256.tif 000007
2021510256.tif 000008
2021510256.tif 000009